(57)【特許請求の範囲】
【請求項１】
受信したテレビ放送信号をビデオ信号に変換して出力するビデオ出力手段を１系統のみ備えるとともに、上記ビデオ信号に特定情報の表示信号を付加可能なオンスクリーン手段を備え、このオンスクリーン手段によりテレビ放送の表示中に特定情報を上書き表示することが可能なテレビ放送受信装置において、
上記特定情報の上書き表示をワンタッチで禁止設定可能な専用の入力操作手段と、
該入力操作手段の操作がされたことに基づき上記オンスクリーン手段の動作要求があった場合でも所定期間オンスクリーン手段による表示信号の付加動作を行わせない制御手段と、
上書き表示の禁止設定期間であることをユーザに報知する報知手段と、
を備え、上記制御手段により表示信号の付加動作が禁止される所定期間は、上記入力操作手段への操作時から、入力操作手段の操作回数に応じて、予め設定されている一定時間と操作回数との積により求められる時間であることを特徴とするテレビ放送受信装置。
【請求項２】
受信したテレビ放送信号をビデオ信号に変換して出力するビデオ出力手段を１系統のみ備えるとともに、上記ビデオ信号に特定情報の表示信号を付加可能なオンスクリーン手段を備え、このオンスクリーン手段によりテレビ放送の表示中に特定情報を上書き表示することが可能なテレビ放送受信装置において、
上記特定情報の上書き表示を禁止設定する操作手段と、
該操作手段の操作がされたことに基づき上記オンスクリーン手段の動作要求があった場合でも所定期間オンスクリーン手段による表示信号の付加動作を行わせない制御手段と、
を備え、上記制御手段により表示信号の付加動作が禁止される所定期間は、上記操作手段への操作時から、操作手段の操作回数に応じて、予め設定されている一定時間と操作回数との積により求められる時間であることを特徴とするテレビ放送受信装置。
【請求項３】
上記操作手段は、ワンタッチで上書き表示の禁止設定が可能な専用の操作ボタンであることを特徴とする請求項２に記載のテレビ放送受信装置。
【請求項４】
上書き表示の禁止設定期間であることをユーザに報知する報知手段を備えていることを特徴とする請求項２又は３に記載のテレビ放送受信装置。
【請求項５】
上記テレビ放送信号からビデオ信号と音信号を分離する分離手段と、
テレビ放送信号から分離された音声信号に操作状況を示す効果音の音信号を付加可能な効果音付加手段とを備え、
上記制御手段は、上記操作手段の操作がされたことに基づき上記効果音付加手段の動作要求があった場合でも所定期間該効果音付加手段による音信号の付加動作を行わせないように構成されていることを特徴とする請求項２〜４の何れかに記載のテレビ放送受信装置。
【請求項６】
上記制御手段により表示信号の付加動作が禁止される所定期間の終了タイミングは、予め設定された区切り時刻であり、且つ、操作手段が続けて複数回操作された場合には、操作の度に区切り時刻が次の区切り時刻に設定されることを特徴とする請求項２〜５の何れかに記載のテレビ放送受信装置。
【発明の詳細な説明】
【０００１】
【発明の属する技術分野】
この発明は、例えば衛星放送チューナーなど、受信したテレビ放送信号をビデオ信号に変換して出力するテレビ放送受信装置に関し、特に、ビデオ信号に設定画面などの特定情報の表示信号を付加可能なＯＳＤ（On Screen Display）機能を備えたテレビ放送受信装置に関する。
【０００２】
【従来の技術】
衛星放送チューナを備えたセットトップボックスなどにおいては、例えば、衛星放送の複数のチャンネルの中から希望のチャンネルを選択しようとするとき、希望のチャンネル番号を直接入力する方法のほか、テレビ番組の表示画面上に番組表を表示（以下、オンスクリーン表示と称する）させ、当該画面上でカーソルを動かして希望チャンネルを選択するといった方法が一般に採用されている。
【０００３】
また、テレビ番組の表示中にテレビ放送とともに送信されてくる文字放送およびデータ放送の信号を受信して、テレビ番組の表示画面に文字放送およびデータ放送をオンスクリーン表示させることも可能となっている。
【０００４】
また、ペイ・パー・ビュー（ＰＰＶ）と呼ばれる有料番組を視聴する場合には、画面上にＰＰＶに関するメニューをオンスクリーン表示させ、このメニュー画面の中で有料番組の購入手続きが出来るようになっている。
【０００５】
また、上記のようなオンスクリーン表示の際には、例えば、カーソルの移動や画面の切り替え時に、ポップ音などの効果音を音声信号に載せて出力するといったことも行われている。
【０００６】
しかしながら、衛星放送の録画を行う場合に、上記のようなセットトップボックスから出力される映像信号や音声信号をＶＴＲ（ビデオテープレコーダ）装置などに入力して記録を行おうとすると、上記オンスクリーン表示の映像信号や装飾音の音信号もＶＴＲ装置に送られて、番組放送と一緒に録画されていまうという問題が発生する。
【０００７】
そこで、上記のような問題を回避するために、従来、例えば、特開平１０−２２４７０７号、特開平１０−３３６６０３号、特開平１１−１７７９００号に開示されているような、幾つかの提案がなされている。
【０００８】
これらのうち、特開平１０−２２４７０７号に開示のデジタル放送録画設定装置は、ＶＴＲ装置の番組録画予約に合わせて、録画される番組放送の受信中にはオンスクリーン表示が行われないように制御するものである。
【０００９】
また、特開平１０−３３６６０３号に開示のデジタル放送録画設定装置は、受信したテレビ放送信号をビデオ信号に変換して出力するビデオ出力手段を２系統備え、一方の系統のビデオ信号は録画用としてオンスクリーン表示の付加を行わず、他方の系統のビデオ信号はモニタ表示用としてオンスクリーン表示の付加を要求に基づき行うように構成したものである。
【００１０】
また、特開平１１−１７７９００号に開示の録画再生手段内蔵テレビジョン受像機も、記録用映像信号とＴＶモニタ用映像信号とをそれぞれ２系統の信号処理回路で別個に扱うようにしたものである。
【００１１】
【発明が解決しようとする課題】
しかしながら、上記特開平１０−２２４７０７号に開示の技術は、録画機能を備えた装置には容易に適用できたとしても、例えばチューナ機能のみを備えたセットトップボックスなどでは、ＶＴＲ装置などと接続し、該ＶＴＲ装置と録画予約の情報が関連付けられるように複雑な制御が必要となる他、ユーザによる設定操作も複雑なものとなる。
【００１２】
また、特開平１０−３３６６０３号や特開平１１−１７７９００号に開示の技術は、テレビ放送信号のデコーダ回路やＮＴＳＣ（National Television System Committee standard）エンコーダ回路などが２系統必要となり、コストの高騰につながるという課題を有する。
【００１３】
この発明の目的は、受信したテレビ放送信号をビデオ信号に変換して出力するテレビ放送受信装置において、録画中の信号に誤ってオンスクリーン表示や効果音の信号が載らないようにする機能を、ビデオ出力手段を２系統用いずに構成することが可能で、且つ、簡単操作で機能設定できるようにすることである。
【００１４】
【課題を解決するための手段】
本発明は、上記目的を達成するために、受信したテレビ放送信号をビデオ信号に変換して出力するビデオ出力手段を１系統のみ備えるとともに、上記ビデオ信号に特定情報の表示信号を付加可能なオンスクリーン手段を備え、このオンスクリーン手段によりテレビ放送の表示中に特定情報を上書き表示することが可能なテレビ放送受信装置において、上記特定情報の上書き表示をワンタッチで禁止設定可能な専用の入力操作手段と、該入力操作手段の操作がされたことに基づき上記オンスクリーン手段の動作要求があった場合でも所定期間オンスクリーン手段による表示信号の付加動作を行わせない制御手段と、上書き表示の禁止設定期間であることをユーザに報知する報知手段と、を備え、上記制御手段により表示信号の付加動作が禁止される所定期間は、上記入力操作手段への操作時から、入力操作手段の操作回数に応じて、予め設定されている一定時間と操作回数との積により求められる時間である構成とした。
【００１５】
このような手段によれば、例えば番組録画をする際などにユーザは簡単な操作をするだけでオンスクリーン表示を禁止し、録画中の信号に誤ってオンスクリーン表示の信号が載らないようにすることが出来る。また、ビデオ出力手段は１系統で構成されるため低コストな構成が実現できる。また、上記報知手段によりオンスクリーン表示が行われない状態にあることを確実にユーザに知らせることが出来る。
【００１６】
さらに、上記のような構成により、ユーザにとって分かり易い、簡単な機能設定が可能となる。
【００１７】
また、本発明のテレビ放送受信装置は、受信したテレビ放送信号をビデオ信号に変換して出力するビデオ出力手段を１系統のみ備えるとともに、上記ビデオ信号に特定情報の表示信号を付加可能なオンスクリーン手段を備え、このオンスクリーン手段によりテレビ放送の表示中に特定情報を上書き表示することが可能なテレビ放送受信装置において、上記特定情報の上書き表示を禁止設定する操作手段と、該操作手段の操作がされたことに基づき上記オンスクリーン手段の動作要求があった場合でも所定期間オンスクリーン手段による表示信号の付加動作を行わせない制御手段と、を備え、上記制御手段により表示信号の付加動作が禁止される所定期間は、上記操作手段への操作時から、操作手段の操作回数に応じて、予め設定されている一定時間と操作回数との積により求められる時間である構成とした。
【００１８】
このような手段によれば、例えば番組録画をする際などにユーザは簡単な操作をするだけでオンスクリーン表示を禁止し、録画中の信号に誤ってオンスクリーン表示の信号が載らないようにすることが出来る。また、ビデオ出力手段は１系統のみで構成されるため低コストな構成が実現できる。さらに、上記のような構成により、ユーザにとって分かり易い、簡単な機能設定が可能となる。
【００１９】
望ましくは、上記操作手段は、ワンタッチで上書き表示の禁止設定が可能な専用の操作ボタンであると良く、このような構成により、さらに機能設定を行いやすくできる。
【００２０】
さらに望ましくは、上書き表示の禁止設定期間であることをユーザに報知する報知手段を備えると良い。このような手段により、オンスクリーン表示が行われない状態にあることを確実にユーザに知らせることが出来る。
【００２１】
また望ましくは、上記テレビ放送信号からビデオ信号と音信号を分離する分離手段と、テレビ放送信号から分離された音声信号に操作状況を示す効果音の音信号を付加可能な効果音付加手段とを備え、上記制御手段は、上記操作手段の操作がされたことに基づき上記効果音付加手段の動作要求があった場合でも所定期間該効果音付加手段による音信号の付加動作を行わせないように構成すると良い。このような構成により、オンスクリーン表示とともに録画中の信号に誤って効果音の信号が載らないようにすることが出来る。
【００２３】
また、上記制御手段により表示信号の付加動作が禁止される所定期間の終了タイミングは、予め設定された区切り時刻（ＨＨ時００分や、ＨＨ時３０分など：ＨＨ＝０〜２４）であり、且つ、禁止期間の設定中に操作手段が押された場合には、操作の度に区切り時刻が次の区切り時刻に設定されるように構成しても良い。一般に、放送番組は一定の区切り時刻で終了されるため、上記のようなオンスクリーン表示の禁止期間の設定によって番組に合わせた期間設定を容易に行うことが出来る。
【００２４】
なお、この場合において、制御手段により表示信号の付加動作が禁止される所定期間の開始時は、例えば、操作手段の操作時、或いは、操作後の区切り時刻などと設定することが出来る。
【００２７】
【発明の実施の形態】
以下、本発明の実施の形態を図面に基づいて説明する。
【００２８】
［第１の実施の形態］
図１は、本発明の実施の形態のセットトップボックスの概略構成を示すブロック図である。
【００２９】
図１において、１はテレビ放送受信装置としてのセットトップボックス、２は衛星アンテナ、３は複数チャンネルの中から１つのチャンネルの放送信号を取り出す選局回路、４はデジタル放送信号から映像情報、音声情報、文字情報および番組を識別する番組ＩＤ情報などを復調する復調回路、５は復調した信号の誤り訂正を行う誤り訂正回路、６は復調されたデータ列（多重化データ）から映像情報、音声情報、文字情報、および番組ＩＤ情報などを分離するデマルチプレクス回路、７は内部にキャラクターデータやポップオンデータなどを格納し制御回路８からの指令により表示メモリ１０や音声メモリ１１に表示データや音声データを書き込んでオンスクリーン表示を行わせる効果音付加手段とオンスクリーン手段とを兼ねたＯＳＤ（On Screen Display）回路、８は装置の全体的な制御を司る制御手段としての制御回路、９は映像情報や音声情報をデコードしてＲＧＢ映像信号や音声信号を生成するデコード回路、１０は１ページ分の画像データをバッファリングする表示メモリ、１１は音声データを蓄える音声メモリ、１２はＲＧＢ信号をＮＴＳＣビデオ信号にダウンコンバートするＮＴＳＣエンコーダ回路、１３はデジタル音声データをアナログの音声信号に変換するＤ／Ａコンバータ、１４は各種操作ボタンを有する操作パネル、１６はＯＳＤ禁止状態をユーザに報知する報知手段としてのＬＥＤ、１５はそのドライバ回路である。
【００３０】
この実施の形態のセットトップボックス１は、上記選局回路３、復調回路４、誤り訂正回路５、デマルチプレクス回路６、デコーダ回路９、ＮＴＳＣエンコーダ回路１２および音声用Ｄ／Ａコンバータ１３により構成される１系統のビデオ出力手段により、受信したデジタルテレビ放送信号をビデオ信号に変換して出力するとともに、ＯＳＤ回路７や表示メモリ１０および音声メモリ１１により特定情報を番組放送中のスクリーンに表示したりポップ音などの装飾音を音声出力に付加するＯＳＤ（On Screen Display）機能を備えたものである。ＯＳＤ機能によるオンスクリーン表示は、例えば、操作パネル１４の操作によりチャンネル選択メニューを呼び出したときや、各種設定メニューを呼び出したとき、並びに、番組の文字表示の実行を選択したときなどに行われる。また、ポップ音などの装飾音は各種設定メニューでカーソルを移動させたときや、メニュー画面を切り換えたときなどに付加される。
【００３１】
操作パネル１４には、ＯＳＤ機能を強制的に停止させる入力操作手段として専用のＯＳＤ禁止ボタン１４ａや、ＯＳＤ機能の停止を解除する中止ボタン１４ｂなどの他、各種操作キーが備わっている。なお、これら操作キーはリモコンに設けられ、赤外線通信を介してリモコンからセットトップボックスにキー操作の信号が入力されるように構成されていても良い。
【００３２】
制御回路８には、ＯＳＤ機能の禁止状態を示すＯＳＤ禁止フラグや、ＯＳＤ機能の禁止を解除する条件を示した情報が設定されるレジスタなどを備える他、例えば、番組のＩＤ情報が切替ったときや、タイマー値がレジスタの所定領域に格納された設定時間になったときに割込み信号が入力され、該割込み信号に基づき通常処理と異なる割込み処理が行われるようになっている。
【００３３】
この実施の形態のセットトップボックス１は、上記のように構成され、ビデオ信号の出力処理と並行して、上記制御回路８により次のような制御処理が実行されるようになっている。以下、フローチャートを参照しながらその動作説明を行う。
【００３４】
図２は、制御回路により実行されるキー入力処理の一部の処理手順を示すフローチャートである。
【００３５】
このキー入力処理は、ユーザによるキー操作を見落とさないような短い時間間隔で繰り返し行われる処理である。このキー入力処理が開始されると、先ず、ステップＳ１でキー操作の有無を判別し、無ければこのままキー入力処理を終了して、次のキー入力処理の開始を待つが、有れば、操作されたキーに応じて分岐処理を行って、各操作キーに応じた制御処理を行った後にこのキー入力処理を終了する。
【００３６】
上記の分岐処理の結果、ＯＳＤ禁止ボタン１４ａが押されてステップＳ２に移行した場合には、該ステップで現在受信している放送信号に付加された番組ＩＤ情報を取得し、次のステップＳ３でこの番組ＩＤ情報をＯＳＤ禁止解除用の設定情報としてレジスタの所定領域に書き込む処理を行う。このステップＳ３の書込み処理により、後述の割込み処理において番組ＩＤ情報が切替ったときにＯＳＤ機能の停止が解除されるようになる。
【００３７】
次いで、ステップＳ４でレジスタ中のＯＳＤ禁止フラグのビットにＯＳＤ機能の停止を示す“１”を書込み、さらに、次のステップＳ５でドライバ１５に信号出力を行ってＬＥＤ１６を点灯させる処理を行う。すなわち、これらステップＳ４，Ｓ５により、ＯＳＤ機能の強制停止とユーザへのＯＳＤ機能禁止状態の報知とが行われるようになっている。ＬＥＤ１６を点灯させると、このキー入力処理を終了する。
【００３８】
また、上記の分岐処理の結果、中止ボタン１４ｂが押されてステップＳ６に移行した場合には、該ステップでレジスタ中のＯＳＤ禁止フラグのビットにＯＳＤ機能の禁止解除を示す“０”を書込み、さらに、次のステップＳ７でドライバ１５に信号出力を行ってＬＥＤ１６を消灯させる処理を行う。これらの処理により、ＯＳＤ機能の禁止解除が行われるとともに、ユーザへＯＳＤ機能の復旧が報知される。
【００３９】
次いで、ステップＳ８に移行して、レジスタの所定領域にＯＳＤ禁止解除用の設定情報として書き込まれている番組ＩＤ情報を削除して、このキー入力処理を終了する。
【００４０】
図３は、制御回路により実行されるＯＳＤサブルーチン処理の処理手順を示すフローチャートである。
【００４１】
このＯＳＤサブルーチンは、上記のキー入力処理や文字放送の表示処理の中で、オンスクリーン表示する表示コードや付加する装飾音の音声コードがレジスタの所定領域に格納された状態で、オンスクリーン表示を行うタイミングに呼び出されて実行されるサブルーチンである。
【００４２】
このサブルーチンが呼び出されると、先ず、ステップＳ２０でレジスタ中のＯＳＤ禁止フラグのビットが“０”か否かを判別し、“０”であればＯＳＤ機能が禁止されていないと判断して、順に、ステップＳ２１でレジスタの所定領域に格納されている表示コードをＯＳＤ回路７に送り、ステップＳ２２で同様に格納されている音声コードをＯＳＤ回路７に送る。これにより、ＯＳＤ回路７から表示コードや音声コードに応じたキャラクタデータや音声データが生成されて表示メモリ１０や音声メモリ１１に出力される。そして、それによりモニターやＶＴＲ装置に出力されるビデオ信号やオーディオ信号にオンスクリーン表示の信号や装飾音の信号が付加されて、接続されたモニターにオンスクリーン表示や装飾音の出力が番組放送に重畳されて行われる。そして、このサブルーチン処理を終了して、元の処理の続きを行う。
【００４３】
一方、ステップＳ２０でＯＳＤ禁止フラグが“１”と判別された場合には、ＯＳＤ機能の禁止中と判断して、そのままこのサブルーチン処理を終了する。
【００４４】
つまり、このＯＳＤサブルーチン処理により、セットトップボックス１の動作中にＯＳＤ機能の要求があった場合でも、ＯＳＤ禁止フラグが“１”に設定されている場合には、強制的にＯＳＤ機能が働かないようになっている。
【００４５】
図４は、制御回路８により実行される割込み処理の一部の処理手順を示すフローチャートである。
【００４６】
この割込み処理は、タイマー値がレジスタの所定領域に格納された設定時間になったときや、受信中の番組ＩＤ情報が切替ったときに発せられる割込み信号に基づき開始される。割込み信号が発せられるときには、何の割込みかを示す割込み情報が割込み信号とともに制御回路８に送られる。
【００４７】
この割込み処理では、中断した通常処理を後に復旧させるために通常処理で用いられているデータの退避処理を行った後、割込み情報に応じて幾つものシーケンス処理を行うように構成されている。そして、割込み情報が、番組ＩＤ情報の切替りを示すもので、且つ、図２のステップＳ３でＯＳＤ禁止解除用の設定情報として記憶されている番組ＩＤ情報から他のＩＤ情報への切替りである場合に、ステップＳ３０の分岐処理で割込み情報がＯＳＤ禁止解除設定項目であると判別され、次のステップＳ３１に移行される。
【００４８】
ステップＳ３１に移行すると、先ず、該ステップでレジスタ中のＯＳＤ禁止フラグのビットにＯＳＤ機能の禁止解除を示す“０”を書込み、さらに、次のステップＳ３２でドライバ１５に信号出力を行ってＬＥＤ１６を消灯させる処理を行う。これらの処理により、ＯＳＤ機能の禁止解除が行われるとともに、ユーザへＯＳＤ機能の復旧が報知される。そして、次のステップへ移行される。
【００４９】
つまり、上記の割込み処理により、ＯＳＤ禁止ボタン１４ａを操作してＯＳＤ機能を停止させた後、見ていた放送番組が終了したときに、自動的にＯＳＤ機能の禁止が解除されるようになっている。
【００５０】
以上のように、この実施の形態のセットトップボックス１によれば、例えば番組録画をする際などにユーザは簡単な操作をするだけでＯＳＤ機能を停止し、録画中の信号に誤ってオンスクリーン表示の信号が載らないようにすることが出来る。また、ビデオ出力系統は１系統のみで構成されるため低コストな構成が実現できる。また、上記ＬＥＤ１６によりオンスクリーン表示が行われない状態にあることを確実にユーザに知らせることが出来る。また、ＯＳＤ禁止ボタン１４ａとは異なる中止ボタン１４ｂを押すことで、ＯＳＤ機能の停止設定を行った後でもＯＳＤ機能を復旧することが出来る。
【００５１】
また、ＯＳＤ禁止ボタン１４ａの操作によりＯＳＤ機能の停止が自動的に解除されるタイミングが番組ＩＤ情報が切替るときに設定されているので、番組に合わせたＯＳＤ機能の設定を容易に行うことが出来て都合が良い。
【００５２】
なお、この実施の形態では、ＯＳＤ禁止ボタン１４ａを押したときの番組が放送されている間中、ＯＳＤ機能が停止されるようになっているが、ＯＳＤ禁止ボタン１４ａを続けて複数回押すことで、次の番組、そのまた次の番組と、以降複数の番組が終了するまでＯＳＤ機能が停止されるように構成しても良い。
【００５３】
［第２の実施の形態］
第２の実施の形態のセットトップボックスは、ＯＳＤ禁止ボタン１４ａの操作によるＯＳＤ禁止期間の設定のみが上記第１の実施の形態と異なり、他の構成は第１の実施の形態とほぼ同様のものである。
【００５４】
図５は、第２の実施の形態のセットトップボックスの制御回路により実行されるキー入力処理の処理手順を示すフローチャートである。
【００５５】
この実施の形態のセットトップボックスでは、ＯＳＤ禁止ボタン１４ａを押すと押してから３０分間ＯＳＤ機能が停止され、ＯＳＤ禁止ボタン１４ａを続けて複数回押すとボタン１４ａを押すごとにＯＳＤ機能停止とされる期間が３０分ずつ積算されるように構成されている。
【００５６】
すなわち、図５のキー入力処理でＯＳＤ禁止ボタン１４ａの操作が有りと判別されてステップＳ４１に移行すると、該ステップでＯＳＤフラグを確認してＯＳＤ禁止に設定されているか否かを判別する。そして、ＯＳＤ禁止フラグが“０”でＯＳＤ禁止に設定されてない場合には、先ず、ステップＳ４３にてＯＳＤ機能の停止期間としてタイマーに３０分の設定を行い、次のステップＳ４４でＯＳＤ禁止フラグを“１”に設定する。次いで、ステップＳ４５でドライバ１５に信号を出力してＬＥＤ１６を点灯させ、キー入力処理を終了する。
【００５７】
一方、ステップＳ４１でＯＳＤ禁止フラグが“１”でＯＳＤ禁止状態と判別された場合には、ステップＳ４２で先に設定されているタイマーの値に例えば３０分を積算して再設定する。これにより、ＯＳＤ禁止ボタン１４ａを押すごとにＯＳＤ禁止期間が例えば３０分ずつ延長されるようになっている。
【００５８】
そして、タイマー値がステップＳ４３又はＳ４４で設定された値になって図４の割込み処理が開始されると、図４のステップＳ３０でこの割込み情報がＯＳＤ禁止解除設定項目と判別され、ステップＳ３１，Ｓ３２の処理が実行されて、ＯＳＤの禁止解除とＬＥＤ１６の消灯とが行われる。
【００５９】
この実施の形態のセットトップボックスによれば、ＯＳＤ禁止ボタン１４ａの操作により、ＯＳＤ機能の停止とその期間の設定を例えば３０分単位で行うことが出来るので、ユーザにとって分り易い、簡単な設定が可能となる。
【００６０】
なお、ＯＳＤ機能の停止期間の設定は所定時間単位で行うのではなく、例えば、予め設定された区切り時刻（ＨＨ時００分や、ＨＨ時３０分など：ＨＨ＝０〜２４）にＯＳＤ機能が自動復旧されるような構成とすることも出来る。また、ＯＳＤ禁止ボタン１４ａを複数回押すことで、区切り時刻ごとに設定時間が長くなるように構成しても良い。
【００６１】
また、ＬＥＤ１６を複数色容易し、ＯＳＤ機能の停止期間の長さをＬＥＤ１６の発光色で表示したり、或いは、数字表示やメータ表示などにより残り時間を表示可能な表示器を設けて、ＯＳＤ機能が停止される残り時間をユーザに通知するようにしても良い。
【００６２】
［第３の実施の形態］
第３の実施の形態のセットトップボックスは、セットトップボックスに接続されたＶＴＲ装置から録画の開始を知らせる録画開始信号と、録画の終了を知らせる録画終了信号とが入力されるように構成し、これら録画開始信号や録画終了信号に応じてＯＳＤ機能の禁止設定やその解除設定を行うものである。
【００６３】
この実施の形態のセットトップボックスにおいては、録画開始信号や録画終了信号が入力された場合に制御回路８に割込み信号が出力され、制御回路８で割込み処理が実行されるように構成される。
【００６４】
図６は、第３の実施の形態のセットトップボックスの制御回路により実行される割込み処理の一部の処理手順を示すフローチャートである。
【００６５】
この割込み処理では、通常処理を中断して後に復旧させるために通常処理で用いられているデータの退避処理を行った後、割込み情報に応じて幾つものシーケンス処理を行うように構成されている。そして、割込み情報が、録画開始信号入力を示すものである場合に、ステップＳ６１の分岐処理でステップＳ６２に移行し、順に、レジスタ中のＯＳＤ禁止フラグのビットにＯＳＤ機能の禁止を示す“１”を書込み、さらに、次のステップＳ６３でドライバ１５に信号出力を行ってＬＥＤ１６を点灯させる処理を行う。これらの処理により、ＯＳＤ機能の禁止設定が行われるとともに、ユーザへＯＳＤ機能が停止していることが報知される。
【００６６】
また、割込み情報が、録画終了信号入力を示すものである場合に、ステップＳ６４の分岐処理でステップＳ６５に移行し、順に、レジスタ中のＯＳＤ禁止フラグのビットにＯＳＤ機能の禁止解除を示す“０”を書込み、さらに、次のステップＳ３２でドライバ１５に信号出力を行ってＬＥＤ１６を消灯させる処理を行う。これらの処理により、ＯＳＤ機能の禁止解除が行われるとともに、ユーザへＯＳＤ機能の復旧が報知される。
【００６７】
この実施の形態のセットトップボックスによれば、ＶＴＲ装置に連動させて録画中に自動的にＯＳＤ機能を停止させることが出来る。なお、この実施の形態では、ＯＳＤ機能の禁止と禁止解除との両方をＶＴＲ装置からの信号により設定するとしたが、ＯＳＤ機能の禁止の設定はＯＳＤ禁止ボタン１４ａにより行い、ＯＳＤ機能の禁止の解除のみＶＴＲ装置からの録画終了信号により行うようにしても良い。
【００６８】
なお、本発明は、上記第１〜第３の実施の形態に限られるものではない。例えば、実施の形態では、ＯＳＤ機能の禁止をＯＳＤ禁止フラグの設定値に応じて制御回路がＯＳＤ回路にオンスクリーン表示等の指示を与えたり与えなかったりすることで制御していたが、その他、ＯＳＤ回路をアクティブ又は非アクティブに制御することでＯＳＤ機能の禁止制御を行ったり、ＯＳＤ回路の出力信号を遮断したり通したりすることでＯＳＤ機能の禁止制御を行うようにしても良い。その他、実施の形態の中で具体的に示した細部は様々に変更が可能である。
【００６９】
【発明の効果】
以上説明したように、本発明に従うと、例えば番組録画をする際などにユーザは簡単な操作をするだけでオンスクリーン表示を禁止し、録画中の信号に誤ってオンスクリーン表示の信号が載らないようにすることが出来る。また、ビデオ出力手段は１系統で構成されるため低コストな構成が実現できる。また、上記報知手段によりオンスクリーン表示が行われない状態にあることを確実にユーザに知らせることが出来るという効果がある。
【図面の簡単な説明】
【図１】本発明の実施の形態のセットトップボックスの概略構成を示すブロック図である。
【図２】同、セットトップボックスの制御回路により実行されるキー入力処理の処理手順を示すフローチャートである。
【図３】同、セットトップボックスの制御回路により実行されるＯＳＤ処理の処理手順を示すフローチャートである。
【図４】同、セットトップボックスの制御回路により実行される割込み処理の処理手順を示すフローチャートである。
【図５】第２の実施の形態のセットトップボックスの制御回路により実行されるキー入力処理の処理手順を示すフローチャートである。
【図６】第３の実施の形態のセットトップボックスの制御回路により実行される割込み処理の処理手順を示すフローチャートである。
【符号の説明】
１      セットトップボックス
２      衛星アンテナ
３      選局回路
４      復調回路
５      誤り訂正回路
６      デマルチプレクス回路
７      ＯＳＤ回路
８      制御回路
９      デコード回路
１０    表示メモリ
１２    ＮＴＳＣエンコーダ回路
１３    Ｄ／Ａコンバータ
１４    操作パネル
１４ａ  ＯＳＤ禁止ボタン
１４ｂ  停止ボタン
１６    ＬＥＤ（報知手段）
【図１】
0004615119.tif 000002
【図２】
0004615119.tif 000003
【図３】
0004615119.tif 000004
【図４】
0004615119.tif 000005
【図５】
0004615119.tif 000006
【図６】
0004615119.tif 000007